(57)【要約】【課題】給電経路における障害発生時、障害が発生した後から障害が復旧するまでの間、及び障害復旧時において、給電経路に供給される電源の電源品質の測定データを収集する。【解決手段】給電経路ＡＣＬを介して系統内の負荷装置に電力を供給するとともに、給電経路ＡＣＬの所定の位置には当該位置における給電経路の電源品質の測定データを取得する電源品質モニタ２００（電源品質監視装置）が配置される給電システムであって、電源品質モニタ２００は、電源品質の測定データを取得するデータ取得部２０４と、測定データに基づいて、給電経路ＡＣＬにおける障害発生と障害復旧とを検出する障害検出部２０８と、を備え、データ取得部２０４は、給電経路ＡＣＬにおける障害発生と障害復旧の検出状態に応じて、測定データを取得する時間間隔を制御する。【選択図】図３
2016153739.tif 000002
【特許請求の範囲】
【請求項１】
給電経路を介して系統内の負荷装置に電力を供給するとともに、前記給電経路の所定の位置には当該位置における給電経路の電源品質の測定データを取得する電源品質監視装置が配置される給電システムであって、
前記電源品質監視装置は、
前記電源品質の測定データを取得するデータ取得部と、
前記測定データに基づいて、前記給電経路における障害発生と障害復旧とを検出する障害検出部と、を備え、
前記データ取得部は、
前記給電経路における障害発生と障害復旧の検出状態に応じて、前記測定データを取得する時間間隔を制御する
ことを特徴とする給電システム。
【請求項２】
前記データ取得部は、
前記障害検出部により給電経路における障害発生が検出された際に、
当該障害発生時を基準に定めた第１時点と、前記障害発生時から所定の時間が経過した第２時点と、の間における前記測定データを、第１時間間隔で取得し、
前記障害発生時から所定の時間が経過した前記第２時点と、障害復旧時から所定の時間遡った第３時点と、の間における前記測定データを、前記第１時間間隔よりも時間間隔が長い第２時間間隔で取得し、
前記障害検出部により障害復旧が検出された際に、当該障害復旧時から所定の時間遡った前記第３時点と、前記障害復旧時から所定の時間が経過した第４時点と、の間における前記測定データを、前記第２時間間隔よりも時間間隔が短い第３時間間隔で取得する
ことを特徴とする請求項１に記載の給電システム。
【請求項３】
前記データ取得部は、
現在の時点から所定の過去の時点までの測定データを前記第１時間間隔で取得して、前記取得した測定データを第１記憶部に書き込んで記憶させるように制御する第１サンプリング部と、
前記第１記憶部に記憶されている測定データを第２記憶部に書き込むように制御する第２サンプリング部と、
を備え、
前記第２サンプリング部は、
前記障害発生時から所定の時間が経過した前記第２時点と、前記障害復旧時から所定の時間が経過した前記第４時点とにおいて、前記第１記憶部に記憶された測定データを読み出して、前記読み出した測定データを第２記憶部に書き込むように制御するとともに、
前記第２時点から前記障害復旧の時点までの間において、
前記第１記憶部に記憶されている測定データを前記第２時間間隔でサブサンプリングして、前記サブサンプリングされた測定データを前記第２記憶部に書き込むように制御する
ことを特徴とする請求項２に記載の給電システム。
【請求項４】
前記給電経路における障害発生を示す障害検出情報と、前記給電経路における障害復旧を示す障害復旧情報と、前記測定データとを、前記電源品質監視装置から受信するデータ収集サーバを備え、
前記データ収集サーバは、
前記給電経路の接続構成を示す系統情報と、前記給電経路に配置される前記電源品質監視装置の位置情報とを記憶する記憶部と、
前記電源品質監視装置から、前記障害検出情報と、前記障害復旧情報とを受信する障害情報受信部と、
前記障害検出情報を受信した場合に、前記系統情報と前記電源品質監視装置の位置情報とに基づいて、前記給電経路において障害が発生した位置を判定するとともに、前記障害復旧情報を受信した場合に、前記系統情報と前記電源品質監視装置の位置情報とに基づいて、前記給電経路において障害が復旧した位置を判定する障害位置判定部と、
を備えることを特徴とする請求項１から請求項３のいずれか一項に記載の給電システム。
【請求項５】
前記データ収集サーバは、
前記測定データを収集する対象となる電源品質監視装置を選択する監視装置選択部を備え、
前記監視装置選択部は、
前記電源品質監視装置から前記障害検出情報を受信した場合に、
前記障害位置判定部により判定した前記障害が発生した位置の情報と、前記給電経路の系統情報と、前記電源品質監視装置の位置情報とに基づいて、前記測定データを収集する対象となる電源品質監視装置を選択し、
前記電源品質監視装置から前記障害復旧情報を受信した場合に、
前記障害位置判定部により判定した前記障害が復旧した位置の情報と、前記給電経路の系統情報と、前記電源品質監視装置の位置情報とに基づいて、前記測定データを収集する対象となる電源品質監視装置を選択する
ことを特徴とする請求項４に記載の給電システム。
【請求項６】
系統内の負荷装置に電力を供給する給電経路の所定の位置に配置され、当該位置における給電経路の電源品質の測定データを取得する電源品質監視装置であって、
前記電源品質の測定データを取得するデータ取得部と、
前記測定データに基づいて、前記給電経路における障害発生と障害復旧とを検出する障害検出部と、を備え、
前記データ取得部は、
前記給電経路における障害発生と障害復旧の検出状態に応じて、前記測定データを取得する時間間隔を制御する
ことを特徴とする電源品質監視装置。
【請求項７】
前記データ取得部は、
前記障害検出部により給電経路における障害発生が検出された際に、
当該障害発生時を基準に定めた第１時点と、前記障害発生時から所定の時間が経過した第２時点と、の間における前記測定データを、第１時間間隔で取得し、
前記障害発生時から所定の時間が経過した前記第２時点と、障害復旧時から所定の時間遡った第３時点と、の間における前記測定データを、前記第１時間間隔よりも時間間隔が長い第２時間間隔で取得し、
前記障害検出部により障害復旧が検出された際に、当該障害復旧時から所定の時間遡った前記第３時点と、前記障害復旧時から所定の時間が経過した第４時点と、の間における前記測定データを、前記第２時間間隔よりも時間間隔が短い第３時間間隔で取得する
ことを特徴とする請求項６に記載の電源品質監視装置。
【請求項８】
前記データ取得部は、
現在の時点から所定の過去の時点までの測定データを前記第１時間間隔で取得して、前記取得した測定データを第１記憶部に書き込んで記憶させるように制御する第１サンプリング部と、
前記第１記憶部に記憶されている測定データを第２記憶部に書き込むように制御する第２サンプリング部と、
を備え、
前記第２サンプリング部は、
前記障害発生時から所定の時間が経過した前記第２時点と、前記障害復旧時から所定の時間が経過した前記第４時点とにおいて、前記第１記憶部に記憶された測定データを読み出して、前記読み出した測定データを第２記憶部に書き込むように制御するとともに、
前記第２時点から前記障害復旧の時点までの間において、
前記第１記憶部に記憶されている測定データを前記第２時間間隔でサブサンプリングして、前記サブサンプリングされた測定データを前記第２記憶部に書き込むように制御する
ことを特徴とする請求項７に記載の電源品質監視装置。
【請求項９】
給電経路を介して系統内の負荷装置に電力を供給するとともに、前記給電経路の所定の位置には当該位置における給電経路の電源品質の測定データを取得する電源品質監視装置が配置される給電システムにおける給電監視方法であって、
前記電源品質監視装置により、
前記電源品質の測定データを取得するデータ取得ステップと、
前記測定データに基づいて、前記給電経路における障害発生と障害復旧とを検出する障害検出ステップと、
を含み、
さらに、前記データ取得ステップにおいて、
前記給電経路における障害発生と障害復旧の検出状態に応じて、前記測定データを取得する時間間隔を制御するステップ
を含むことを特徴とする給電監視方法。
【請求項１０】
系統内の負荷装置に電力を供給する給電経路の所定の位置に配置され、当該位置における給電経路の電源品質の測定データを取得する電源品質監視装置のコンピュータに、
前記電源品質の測定データを取得するデータ取得ステップと、
前記測定データに基づいて、前記給電経路における障害発生と障害復旧とを検出する障害検出ステップと、を実行させるとともに、
前記データ取得ステップにおいて、前記給電経路における障害発生と障害復旧の検出状態に応じて、前記測定データを取得する時間間隔を制御するステップを実行させるためのプログラム。
【発明の詳細な説明】
【技術分野】
【０００１】
本発明は、給電経路を介して系統内の負荷装置に電力を供給する給電システム、電源品質監視装置、給電監視方法、及びプログラムに関する。
【背景技術】
【０００２】
近年、給電システムにおいては、電力品質の向上が強く求められている。例えば、給電経路において障害が発生した時には、この障害の発生を速やかに検出するとともに、障害発生の原因を判定して、この障害発生の原因を除去することが求められている。
このような、障害発生の原因を判定する方法として、例えば、関連するデータ収集方式が開示されている（特許文献１を参照）。この特許文献１では、変電所から電力を供給する送配電線に複数の子局を設置し、これらの子局が、センサにて送配電線の線間電圧、相電圧、相電流、零相電流、零相電圧などの物理量を収集、監視する。そして、親局は、電力系統の事故時にほぼ同一時刻の一定期間データを各子局から収集する。
これにより、親局は、事故を未検出の子局が存在しても、全ての子局から同一の事故時の一定期間のデータを収集する。
【０００３】
また、関連する電力系統事故区間判定方法がある（特許文献２を参照）。この特許文献２に記載の電力系統事故区間判定方法は、リレーと遮断器の状態に関する事故前後の情報に基づいて事故の波及範囲を特定する。
【先行技術文献】
【特許文献】
【０００４】
【特許文献１】特許第５１０００４４号公報
【特許文献２】特開２００１−１６７６６号公報
【発明の概要】
【発明が解決しようとする課題】
【０００５】
ところで、上述の特許文献１に記載のデータ収集方式では、障害発生時に、子局においてサンプリングを停止させるタイミングを、障害内容に応じて制御している。このため、障害発生後のデータや障害復旧時のデータを収集できなくなるという問題がある。特に、障害復旧時における波形データを取得できないという問題がある。
【０００６】
この発明は、上述した課題を解決するためになされたものであり、給電経路における障害発生時、障害が発生した後から障害が復旧するまでの間、及び障害復旧時において、給電経路に供給されている電源の電源品質を測定してその測定データを収集することができる、給電システム、電源品質監視装置、給電システムにおける給電監視方法、及びプログラムを提供するものである。
【課題を解決するための手段】
【０００７】
この発明は、上述した課題を解決するためになされたものであり、本発明の給電システムは、給電経路を介して系統内の負荷装置に電力を供給するとともに、前記給電経路の所定の位置には当該位置における給電経路の電源品質の測定データを取得する電源品質監視装置が配置される給電システムであって、前記電源品質監視装置は、前記電源品質の測定データを取得するデータ取得部と、前記測定データに基づいて、前記給電経路における障害発生と障害復旧とを検出する障害検出部と、を備え、前記データ取得部は、前記給電経路における障害発生と障害復旧の検出状態に応じて、前記測定データを取得する時間間隔を制御することを特徴とする。
【０００８】
また、上記給電システムにおいて、前記データ取得部は、前記障害検出部により給電経路における障害発生が検出された際に、当該障害発生時を基準に定めた第１時点と、前記障害発生時から所定の時間が経過した第２時点と、の間における前記測定データを、第１時間間隔で取得し、前記障害発生時から所定の時間が経過した前記第２時点と、障害復旧時から所定の時間遡った第３時点と、の間における前記測定データを、前記第１時間間隔よりも時間間隔が長い第２時間間隔で取得し、前記障害検出部により障害復旧が検出された際に、当該障害復旧時から所定の時間遡った前記第３時点と、前記障害復旧時から所定の時間が経過した第４時点と、の間における前記測定データを、前記第２時間間隔よりも時間間隔が短い第３時間間隔で取得することを特徴とする。
【０００９】
また、上記給電システムにおいて、前記データ取得部は、現在の時点から所定の過去の時点までの測定データを前記第１時間間隔で取得して、前記取得した測定データを第１記憶部に書き込んで記憶させるように制御する第１サンプリング部と、前記第１記憶部に記憶されている測定データを第２記憶部に書き込むように制御する第２サンプリング部と、を備え、前記第２サンプリング部は、前記障害発生時から所定の時間が経過した前記第２時点と、前記障害復旧時から所定の時間が経過した前記第４時点とにおいて、前記第１記憶部に記憶された測定データを読み出して、前記読み出した測定データを第２記憶部に書き込むように制御するとともに、前記第２時点から前記障害復旧の時点までの間において、前記第１記憶部に記憶されている測定データを前記第２時間間隔でサブサンプリングして、前記サブサンプリングされた測定データを前記第２記憶部に書き込むように制御することを特徴とする。
【００１０】
また、上記給電システムにおいて、前記給電経路における障害発生を示す障害検出情報と、前記給電経路における障害復旧を示す障害復旧情報と、前記測定データとを、前記電源品質監視装置から受信するデータ収集サーバを備え、前記データ収集サーバは、前記給電経路の接続構成を示す系統情報と、前記給電経路に配置される前記電源品質監視装置の位置情報とを記憶する記憶部と、前記電源品質監視装置から、前記障害検出情報と、前記障害復旧情報とを受信する障害情報受信部と、前記障害検出情報を受信した場合に、前記系統情報と前記電源品質監視装置の位置情報とに基づいて、前記給電経路において障害が発生した位置を判定するとともに、前記障害復旧情報を受信した場合に、前記系統情報と前記電源品質監視装置の位置情報とに基づいて、前記給電経路において障害が復旧した位置を判定する障害位置判定部と、を備えることを特徴とする。
【００１１】
また、上記給電システムにおいて、前記データ収集サーバは、前記測定データを収集する対象となる電源品質監視装置を選択する監視装置選択部を備え、前記監視装置選択部は、前記電源品質監視装置から前記障害検出情報を受信した場合に、前記障害位置判定部により判定した前記障害が発生した位置の情報と、前記給電経路の系統情報と、前記電源品質監視装置の位置情報とに基づいて、前記測定データを収集する対象となる電源品質監視装置を選択し、前記電源品質監視装置から前記障害復旧情報を受信した場合に、前記障害位置判定部により判定した前記障害が復旧した位置の情報と、前記給電経路の系統情報と、前記電源品質監視装置の位置情報とに基づいて、前記測定データを収集する対象となる電源品質監視装置を選択することを特徴とする。
【００１２】
また、本発明の電源品質監視装置は、系統内の負荷装置に電力を供給する給電経路の所定の位置に配置され、当該位置における給電経路の電源品質の測定データを取得する電源品質監視装置であって、前記電源品質の測定データを取得するデータ取得部と、前記測定データに基づいて、前記給電経路における障害発生と障害復旧とを検出する障害検出部と、を備え、前記データ取得部は、前記給電経路における障害発生と障害復旧の検出状態に応じて、前記測定データを取得する時間間隔を制御することを特徴とする。
【００１３】
また、上記電源品質監視装置において、前記データ取得部は、前記障害検出部により給電経路における障害発生が検出された際に、当該障害発生時を基準に定めた第１時点と、前記障害発生時から所定の時間が経過した第２時点と、の間における前記測定データを、第１時間間隔で取得し、前記障害発生時から所定の時間が経過した前記第２時点と、障害復旧時から所定の時間遡った第３時点と、の間における前記測定データを、前記第１時間間隔よりも時間間隔が長い第２時間間隔で取得し、前記障害検出部により障害復旧が検出された際に、当該障害復旧時から所定の時間遡った前記第３時点と、前記障害復旧時から所定の時間が経過した第４時点と、の間における前記測定データを、前記第２時間間隔よりも時間間隔が短い第３時間間隔で取得することを特徴とする。
【００１４】
また、上記電源品質監視装置において、前記データ取得部は、現在の時点から所定の過去の時点までの測定データを前記第１時間間隔で取得して、前記取得した測定データを第１記憶部に書き込んで記憶させるように制御する第１サンプリング部と、前記第１記憶部に記憶されている測定データを第２記憶部に書き込むように制御する第２サンプリング部と、を備え、前記第２サンプリング部は、前記障害発生時から所定の時間が経過した前記第２時点と、前記障害復旧時から所定の時間が経過した前記第４時点とにおいて、前記第１記憶部に記憶された測定データを読み出して、前記読み出した測定データを第２記憶部に書き込むように制御するとともに、前記第２時点から前記障害復旧の時点までの間において、前記第１記憶部に記憶されている測定データを前記第２時間間隔でサブサンプリングして、前記サブサンプリングされた測定データを前記第２記憶部に書き込むように制御することを特徴とする。
【００１５】
また、本発明の給電システムにおける給電監視方法は、給電経路を介して系統内の負荷装置に電力を供給するとともに、前記給電経路の所定の位置には当該位置における給電経路の電源品質の測定データを取得する電源品質監視装置が配置される給電システムにおける給電監視方法であって、前記電源品質監視装置により、前記電源品質の測定データを取得するデータ取得ステップと、前記測定データに基づいて、前記給電経路における障害発生と障害復旧とを検出する障害検出ステップと、を含み、さらに、前記データ取得ステップにおいて、前記給電経路における障害発生と障害復旧の検出状態に応じて、前記測定データを取得する時間間隔を制御するステップを含むことを特徴とする。
【００１６】
また、本発明のプログラムは、系統内の負荷装置に電力を供給する給電経路の所定の位置に配置され、当該位置における給電経路の電源品質の測定データを取得する電源品質監視装置のコンピュータに、前記電源品質の測定データを取得するデータ取得ステップと、前記測定データに基づいて、前記給電経路における障害発生と障害復旧とを検出する障害検出ステップと、を実行させるとともに、前記データ取得ステップにおいて、前記給電経路における障害発生と障害復旧の検出状態に応じて、前記測定データを取得する時間間隔を制御するステップを実行させるためのプログラムである。
【発明の効果】
【００１７】
本発明によれば、給電経路における障害発生時、障害が発生した後から障害が復旧するまでの間、及び障害復旧時において、給電経路に供給されている電源の電源品質を測定してその測定データを収集することができる。
【図面の簡単な説明】
【００１８】
【図１】本発明の第１実施形態に係る給電システム１の概略構成を示す構成図である。
【図２】電源品質モニタ２００により測定される測定データの例を示す波形図である。
【図３】電源品質モニタ２００とデータ収集サーバ１０１の構成例を示す構成図である。
【図４】障害検出信号ＥＭと障害復旧信号ＲＥＣと測定データ送信要求信号ＳＲＥＱと測定データＩＶＤの送信信号との例を示す説明図である。
【図５】電源品質モニタ２００における電圧電流波形の測定処理の手順を示すフローチャートである。
【図６】データ収集サーバ１０１からの要求に応じて測定データを送信する処理の手順を示すフローチャートである。
【図７】電源品質モニタ２００における測定データの取得動作を説明するための説明図である。
【図８】電源品質モニタ２００とデータ収集サーバ１０１との間における測定データの収集処理の流れを示すシーケンス図である。
【図９】コントロールパネルの一例を示す説明図である。
【図１０】本発明の第２実施形態に係る給電システム１Ａの概略構成を示す構成図である。
【図１１】本発明の第２実施形態に係るデータ収集サーバ１０１Ａの構成を示す構成図である。
【図１２】電源品質モニタ２００とデータ収集サーバ１０１Ａとの間における測定データの収集処理の流れを示すシーケンス図である。
【発明を実施するための形態】
【００１９】
以下、本発明の実施の形態を添付図面を参照して説明する。
【００２０】
［第１実施形態］
（給電システム１の概略構成）
図１は、本発明の第１実施形態に係る給電システム１の概略構成を示す構成図である。この給電システム１は、例えば、ビルに設備される給電システムの例であり、給電システム１内の電源設備と給電経路と負荷装置とを単線結線図で示した例である。
【００２１】
図１に示す給電システム１は、受電設備１０、負荷装置までの給電経路、給電系統切替部３、エンジン発電機（ＥＧ）４、無停電電源装置（ＵＰＳ）２１、直流電源装置（ＲＦ）３１、分電盤（ＰＤＦ）４１、分電盤（ＰＤＦ）４２、分電盤（ＰＤＦ）５１、機械室６１内の負荷装置Ｌ１１及びＬ１２、機械室６１内の負荷装置（空調装置）Ｌ１３、及び事務室内の負荷装置Ｌ１４（負荷装置が接続されるものとしてコンセントを表示）を備えている。
【００２２】
また、給電経路の各点ＡからＨのそれぞれの位置には、当該位置に供給される電源の電源品質をモニタ（監視）するためのセンサ２２１ａから２２１ｈと、センサ２２１ａから２２１ｈから出力される電圧波形及び電流波形を測定して電源の品質を監視する電源品質モニタ（電源品質監視装置）２００ａから２００ｈが設けられている。
センサ２２１ａから２２１ｈは、例えば、電圧測定用の変圧器や、電圧検出用の分圧抵抗器や、電流検出用のＣＴ等である。
【００２３】
受電設備１０は、遮断器（ＣＢ）１１、変圧器１２、電圧及び電流計測用のＰＴ／ＣＴ１３、電圧計（Ｖ１）１４、電流計（Ａ１）１５、及び保護継電器１６を備えている。また、受電設備１０には、商用電力系統２から給電経路ＡＣＬ１０を介して供給される電源の電源品質をモニタするための、センサ２２１ａと電源品質モニタ２００ａとが設けられている。
保護継電器１６は、例えば、過電流継電器、地絡継電器、不足電圧継電器（何れも不図示）などを含んで構成されており、これらの継電器がそれぞれの検出条件に応じて異常状態を検出すると、その信号が遮断器１１に送られ当該遮断器１１を開放させる。
例えば、過電流継電器は、電路に過電流が流れたことを検出した場合に遮断器１１を開放して、地絡継電器は、電路や機器に地絡が発生したことを検出した場合に遮断器１１を開放して、不足電圧継電器は、停電や事故により商用電力系統２から商用電力を受電できなくなったことを検出した場合に遮断器１１を開放する。
【００２４】
変圧器１２は、商用電力系統２から供給される高圧交流電圧（例えば、３相ＡＣ６６００Ｖ）を所定の低圧交流電圧（例えば、３相ＡＣ４００Ｖ）に降圧し、この低圧交流電圧を給電経路ＡＣＬ１１に供給する。
【００２５】
給電系統切替部３は、給電経路ＡＣＬ１１から供給される商用電力と、非常用のエンジン発電機（ＥＧ）４から出力される電力と、を切り換えて、給電経路ＡＣＬ２１に電力を供給する。この給電系統切替部３は、商用電力系統２から正常に電力を受電できている通常の場合、接点ａと接点ｃとを導通させて、商用電力を給電経路ＡＣＬ２１に供給する。また、給電系統切替部３は、商用電力系統２から正常に電力を受電できない停電状態の場合に、接点bと接点ｃとを導通させて、エンジン発電機４から出力される電力を給電経路ＡＣＬ２１に供給する。
【００２６】
無停電電源装置（ＵＰＳ）２１は、不図示のバッテリ、整流器、インバータを主要構成として備え、商用電源の遮断時にバッテリ給電に切り替え可能に構成されている。この無停電電源装置２１は、給電経路ＡＣＬ２１から正常に電力を受電できる場合、この給電経路ＡＣＬ２１から受電した電力をそのまま給電経路ＡＣＬ３１に出力する。一方、無停電電源装置２１は、給電経路ＡＣＬ２１から正常に電力を受電できない商用電源遮断時の場合、バッテリから出力される直流電圧をインバータにより所定の交流電圧に変換して給電経路ＡＣＬ３１に出力する。
【００２７】
直流電源装置（ＲＦ）３１は、商用交流電力を直流電力に変換する整流装置であり、給電経路ＡＣＬ２１から入力される交流電圧を所定の電圧の直流電圧に変換する。この直流電源装置３１は、ＡＣ／ＤＣコンバータ（不図示）を備え、このＡＣ／ＤＣコンバータにより、給電経路ＡＣＬ２１から入力される交流電圧（例えば、ＡＣ４００Ｖ）を所定の直流電圧（例えば、ＤＣ３８０Ｖ）に変換し、この直流電圧を、給電経路ＤＣＬ１１へ出力する。
【００２８】
上記無停電電源装置２１から電力が供給される給電経路ＡＣＬ３１は、分電盤（ＰＤＦ）４１の入力側に接続される。この分電盤４１には、不図示の過電流遮断器（ブレーカ）を介して、給電経路ＡＣＬ３１と給電経路ＡＣＬ３２とが接続される。この給電経路ＡＣＬ３２は、機械室６１内の負荷装置L１１に３相又は単相の交流電力を供給し、給電経路ＡＣＬ３３は、機械室６１内の負荷装置L１２に３相又は単相の交流電力を供給する。
また、直流電源装置３１に接続される給電経路ＤＣＬ１１は、不図示の直流家電、ＬＥＤ照明、パソコンやサーバなどの情報機器等に直流電力を供給する。
【００２９】
また、分電盤４２は、入力側が給電経路ＡＣＬ２１に接続され、この分電盤４２には、不図示の過電流遮断器（ブレーカ）を介して、給電経路ＡＣＬ４１が接続される。この給電経路ＡＣＬ４１は、機械室６１内の負荷装置（空調装置）L１３に３相又は単相の交流電力を供給する。
また、分電盤５１は、入力側が給電経路ＡＣＬ２１に接続され、この分電盤５１には、不図示の過電流遮断器（ブレーカ）を介して、給電経路ＡＣＬ５１が接続される。この給電経路ＡＣＬ５１は、事務室７１内の負荷装置L１４に単相の交流電力を供給する。
【００３０】
上記構成の給電システム１において、給電経路ＡＣＬ１からＡＣＬ５１に供給される電源の電源品質を測定するための電源品質モニタ２００ａから２００ｈが、給電経路上で階層的に配置される。
すなわち、商用電力系統２から受電設備１０の給電経路ＡＣＬ１に供給される電源の電源品質は、計器用変圧器ＰＴと変流器ＣＴとで構成されるＰＴ／ＣＴ１３を介して、給電経路ＡＣＬ１のＡ点の電圧波形及び電流波形として、センサ２２１ａと電源品質モニタ（ＰＱａ）２０１ａとにより測定される。
つまり、電源品質モニタ（ＰＱａ）２０１ａは、給電経路ＡＣＬの最上位の階層に配置されて、商用電力系統２から受電設備１０に供給される電源の電源品質を監視する。
【００３１】
また、給電系統切替部３から給電経路ＡＣＬ２１に供給される電源の電源品質は、給電経路ＡＣＬ２１のＢ点の電圧波形及び電流波形として、センサ２２１ｂと電源品質モニタ（ＰＱｂ）２０１ｂとにより測定される。
つまり、電源品質モニタ（ＰＱｂ）２０１ｂは、給電経路上でＡ点の下流に位置する第２階層のＢ点に配置されて、給電経路ＡＣＬ２１に供給される電源の電源品質を監視する。
【００３２】
また、給電経路ＡＣＬ２１から無停電電源装置２１に供給される電源の電源品質は、給電経路ＡＣＬ２１のＣ点の電圧波形及び電流波形として、センサ２２１ｃと電源品質モニタ（ＰＱｃ）２０１ｃとにより測定される。
また、給電経路ＡＣＬ２１から直流電源装置３１に供給される電源の電源品質は、給電経路ＡＣＬ２１のＤ点の電圧波形及び電流波形として、センサ２２１ｄと電源品質モニタ（ＰＱｄ）２００ｄとにより測定される。
つまり、電源品質モニタ（ＰＱｃ）２０１ｃと電源品質モニタ（ＰＱｄ）２０１ｄとは、給電経路上でＢ点の下流に位置する第３階層のＣ点とＤ点にそれぞれ配置されている。
【００３３】
また、無停電電源装置（ＵＰＳ）２１から分電盤４１に供給される電源の電源品質は、給電経路ＡＣＬ３１のＥ点の電圧波形及び電流波形として、センサ２２１ｅと電源品質モニタ（ＰＱｅ）２００ｅとにより測定される。
また、分電盤４１から負荷装置Ｌ１１に供給される電源の電源品質は、給電経路ＡＣＬ３２のＦ点の電圧波形及び電流波形として、センサ２２１ｆと電源品質モニタ（ＰＱｆ）２００ｆとにより測定される。
また、分電盤４１から負荷装置Ｌ１２に供給される電源の電源品質は、給電経路ＡＣＬ３３のＧ点の電圧波形及び電流波形として、センサ２２１ｇと電源品質モニタ（ＰＱｇ）２００ｇとにより測定される。
また、給電経路ＡＣＬ５１から事務室７１に供給される電源の電源品質は、給電経路ＡＣＬ５１のＨ点の電圧波形及び電流波形として、センサ２２１ｈと電源品質モニタ（ＰＱｈ）２００ｈとにより測定される。
【００３４】
そして、各電源品質モニタ２００ａから２００ｈは、例えば、光ケーブル１００ａにより通信ネッワーク１００と接続されており、各電源品質モニタ２００ａから２００ｈとデータ収集サーバ１０１とは、この通信ネッワーク１００を介して通信を行う。
なお、以下の説明において、センサ２２１ａから２２１ｈを総称する場合は、「センサ２２１」と呼び、電源品質モニタ２００ａから２００ｈを総称する場合は、「電源品質モニタ２００」と呼び、給電経路ＡＣＬ１からＡＣＬ５１を総称する場合は、「給電経路ＡＣＬ」と呼ぶことがある。
【００３５】
（電源品質モニタ２００で測定される測定データの例）
上記電源品質モニタ２００は、給電経路ＡＣＬに供給される電圧や電流を波形データとして収集するとともに、測定した波形データを予め記憶した基準データと比較することにより、給電経路ＡＣＬに障害が発生していることを検出する。また、電源品質モニタ２００は、給電経路ＡＣＬにおいて障害が復旧した場合に、測定した波形データを基準データと比較することにより、給電経路ＡＣＬにおいて障害が復旧したことを検出する。電源品質モニタ２００は、給電経路ＡＣＬにおいて障害が発生したことを検出した場合や、給電経路ＡＣＬにおいて障害が復旧したことを検出した場合に、これらの検出情報をデータ収集サーバ１０１に発報（送信）する。
【００３６】
例えば、図２は、電源品質モニタ２００により測定される測定データの例を示す波形図である。この図２は、横方向に時間ｔの経過を示し、縦方向に、図１に示す給電経路ＡＣＬのＡ点の電圧波形（例えば、線間電圧Ｖｕｖの波形）と、Ｂ点の電圧波形と、Ｃ点の電圧波形と、Ｄ点の電圧波形とを並べて示している。
【００３７】
この図２に示す例は、時刻ｔ１において障害が発生し、Ｂ点の電圧と、Ｃ点の電圧と、Ｄ点の電圧とが大きく低下するが、Ａ点の電圧は正常の場合の例である。
この場合、Ｂ点とＣ点とＤ点に配置された各電源品質モニタ２００は、時刻ｔ１において給電経路ＡＣＬに障害が発生したことを検出して、後述する障害検出信号（障害検出情報）ＥＭをデータ収集サーバ１０１に送信する。一方、Ａ点に配置された電源品質モニタ２００は、障害検出信号ＥＭをデータ収集サーバ１０１に送信しない。
これにより、データ収集サーバ１０１は、給電経路ＡＣＬにおいてＢ点とＣ点とＤ点で障害が発生していると判定する。そして、データ収集サーバ１０１は、Ｃ点とＤ点とが、Ｂ点の下流に位置することを認識して、Ｂ点において障害が発生し、その影響がＣ点とＤ点に波及したものと判定する。また、データ収集サーバ１０１は、Ｂ点とＣ点とＤ点に配置された電源品質モニタ２００から障害発生時の測定データを収集する。
【００３８】
同様にして、時刻ｔ２において給電経路ＡＣＬの障害が復旧すると、Ｂ点とＣ点とＤ点に配置された各電源品質モニタ２００は、時刻ｔ２において給電経路ＡＣＬの障害が復旧したことを検出して、後述する障害復旧信号（障害復旧情報）ＲＥＣをデータ収集サーバ１０１に送信する。一方、Ａ点に配置された電源品質モニタ２００は、障害復旧信号ＲＥＣデータ収集サーバ１０１に送信しない。
これにより、データ収集サーバ１０１は、Ｂ点において障害が復旧し、Ｂ点の下流に位置するＣ点とＤ点においても障害が復旧したと判定する。また、データ収集サーバ１０１は、電源品質モニタ２００から障害復旧時の測定データを収集する。
【００３９】
（電源品質モニタ２００とデータ収集サーバ１０１の構成）
図３は、電源品質モニタ２００とデータ収集サーバ１０１の構成例を示す構成図である。この電源品質モニタ２００は、ＣＰＵ、ＲＯＭ、ＲＡＭ、Ａ／Ｄ（アナログ／デジタル）変換器、タイマカウンタ等を有するマイクロコントローラや、マイクロコンピュータや、ＤＳＰ（Digital Signal Processor）等を有して構成されている。
【００４０】
この図３に示すように、電源品質モニタ２００は、制御部２０１と、受信部２０２と、通知部２０３と、電圧電流測定部２０５と、リングバッファ（第１記憶部）２０６と、測定データ記憶部（第２記憶部）２０７と、障害検出部２０８と、サンプリング制御部２１０とを備える。
また、電源品質モニタ２００は、給電経路ＡＣＬにおける障害の有無を検出するための基準データ２０９を予め記憶している。
また、サンプリング制御部２１０は、第１サンプリング部２１１と、第２サンプリング部２１２とを有している。
なお、電圧電流測定部２０５と、リングバッファ２０６と、測定データ記憶部２０７と、サンプリング制御部２１０とで、給電経路ＡＣＬの電圧波形や電流波形を取得するデータ取得部２０４が構成されている。
また、図３において、電源品質の測定対象となる給電経路ＡＣＬを、３相の交流電力を供給する給電線Ｕ、Ｖ、Ｗとして示しているが、給電経路ＡＣＬは、２相（単相）の給電線の場合がある他、直流の給電線の場合もある。
【００４１】
電源品質モニタ２００において、制御部２０１は、電源品質モニタ２００の全体の動作を統括して制御する制御部である。受信部２０２は、データ収集サーバ１０１から「電源品質モニタの識別情報」が付加された「制御指令情報」を受信する。例えば、受信部２０２は、「制御指令情報」として、後述する測定データ送信要求信号ＳＲＥＱを受信する。
通知部２０３は、データ収集サーバ１０１に向けて、電源品質モニタ２００において、障害検出信号ＥＭや、障害復旧信号ＲＥＣや、測定データＩＶＤを送信する。障害検出信号ＥＭと、障害復旧信号ＲＥＣと、測定データＩＶＤの送信信号の詳細については後述する。
【００４２】
電圧電流測定部２０５は、給電経路ＡＣＬの３相の各給電線Ｕ、Ｖ，Ｗに流れる相電流Ｉｕ、Ｉｖ、Ｉｗと、線間電圧Ｖｕｖ、Ｖｖｗ、Ｖｗｕと、各相を流れる電流のベクトル和として検出される零相電流Ｉｚとを、センサ２２１から出力される信号により測定する。電圧電流測定部２０５は、Ａ／Ｄ変換器を備えており、センサ２２１から出力される信号をデジタル信号に変換して、リングバッファ２０６に出力する。この電圧電流測定部２０５は、所定の第１サンプリング時間、例えば、１サイクル２５６ポイントの時間間隔で、各相電流Ｉｕ、Ｉｖ、Ｉｗと、線間電圧Ｖｕｖ、Ｖｖｗ、Ｖｗｕと、零相電流Ｉｚとをデジタル信号として取得する。
【００４３】
リングバッファ２０６は、電圧電流測定部２０５により測定された給電経路ＡＣＬの各相電流Ｉｕ、Ｉｖ、Ｉｗと、線間電圧Ｖｕｖ、Ｖｖｗ、Ｖｗｕと、零相電流Ｉｚとの測定値を、最新の測定データから所定時間前までの測定データとして記憶する。最新の測定データから所定時間前までの期間は、例えば、数百ｍｓｅｃから数秒前までの期間であり、リングバッファ２０６は、その間の測定データを含むように測定データを更新しながら記憶する。
つまり、リングバッファ２０６は、最も古いデータを最新のデータで上書きし、常に一定の過去までのデータを蓄えるように構成されており、各相電流Ｉｕ、Ｉｖ、Ｉｗと、線間電圧Ｖｕｖ、Ｖｖｗ、Ｖｗｕと、零相電流Ｉｚとのそれぞれに対応する波形データを記憶して、保存できるように構成されている。
また、測定データ記憶部２０７は、リングバッファ２０６に記憶された測定データを記憶して、保存する。この測定データ記憶部２０７のメモリサイズは、リングバッファ２０６のモリサイズと同等か、それ以上に設定されている。
【００４４】
なお、リングバッファ２０６と測定データ記憶部２０７とは、給電経路ＡＣＬの各相電流Ｉｕ、Ｉｖ、Ｉｗと、線間電圧Ｖｕｖ、Ｖｖｗ、Ｖｗｕと、零相電流Ｉｚとのそれぞれに対応して設けられているが、所望の場合には、例えば、１相分の相電流Ｉｕと、１つの線間電圧Ｖｕｖと、零相電流Ｉｚとに対応させて設けてもよく、これにより、リングバッファ２０６と測定データ記憶部２０７のメモリサイズを小さくすることができる。
【００４５】
障害検出部２０８は、リングバッファ２０６に記憶された波形データを基準データ２０９と比較することにより、給電経路ＡＣＬにおける電力品質を検出して、給電経路ＡＣＬにおける障害の発生と、障害復旧とを検出する。
例えば、障害検出部２０８は、１サイクル前の波形データに基づいて、半サイクルごとの実効値・波高値を算出し、基準データ２０９と比較して良否判定を行う。また、例えば、障害検出部２０８は、電圧及び電流の波形データに基づいて、「過電圧」、「不足電圧」、「過電流」、「過負荷」、「地絡」等を検出する。さらに、障害検出部２０８は、歪率や、高調波成分の大きさや、周波数偏差や、瞬時電圧低下等を検出して良否判定を行うようにしてもよい。
なお、電力品質に関する規格が、ＩＥＣ(International Electrotechnical Commission:国際電気標準会議)のＩＥＣ６１０００に規定されており、障害検出部２０８は、このＩＥＣ６１０００に規定された電力品質のパラメータに準拠して、障害の発生の有無を検出するようにしてもよい。
【００４６】
そして、障害検出部２０８により、給電経路ＡＣＬに障害が発生していることが検出された場合、後述する第２サンプリング部２１２は、この障害が発生した時点から所定の時間経過した時点においてリングバッファ２０６に記憶されたデータを、測定データＩＶＤとして測定データ記憶部２０７に書き込んで、記憶させる。
また、障害検出部２０８は、この障害の発生を検出したことを示す障害検出信号ＥＭを、通知部２０３を介してデータ収集サーバ１０１に向けて発報（送信）する。
【００４７】
例えば、通信ネッワーク１００がＴＣＰ／ＩＰネットワークで構成される場合に、通知部２０３は、ＳＮＭＰプロトコル（Simple Network Management Protocol)により、障害検出信号ＥＭをデータ収集サーバ１０１に向けて発報することができる。
なお、給電システム１が、比較的小規模であり、電源品質モニタ２００の個数が少ない場合、例えば、電源品質モニタ２００の個数が数台から１０台以下の場合、電源品質モニタ２００は、接点信号（リレー接点のオン／オフ信号）や、電圧信号により障害検出信号ＥＭをデータ収集サーバ１０１に送信するようにしてもよい。
【００４８】
また、障害検出部２０８により、給電経路ＡＣＬにおいて障害が復旧したことが検出された場合、後述する第２サンプリング部２１２は、この障害が復旧した時点から所定の時間経過した時点においてリングバッファ２０６に記憶されたデータを、測定データＩＶＤとして測定データ記憶部２０７に書き込んで、記憶させる。
また、障害検出部２０８は、この障害の復旧を検出したことを示す障害復旧信号ＲＥＣを、通知部２０３を介してデータ収集サーバ１０１に向けて発報（送信）する。
【００４９】
サンプリング制御部２１０は、第１サンプリング部２１１と、第２サンプリング部２１２とを有している。第１サンプリング部２１１は、電圧電流測定部２０５により、給電経路ＡＣＬの電圧電流波形を測定する際の第１サンプリング時間（第１時間間隔）を規定する第１サンプリング信号Ｓ１を生成する。例えば、電圧電流測定部２０５は、第１サンプリング時間により、１サイクル２５６ポイントの時間間隔で、各相電流Ｉｕ、Ｉｖ、Ｉｗと、線間電圧Ｖｕｖ、Ｖｖｗ、Ｖｗｕと、零相電流Ｉｚとを測定する。
また、第１サンプリング部２１１は、電圧電流測定部２０５により取得された測定データをリングバッファ２０６に書き込んで記憶させるように制御する。
【００５０】
第２サンプリング部２１２は、リングバッファ２０６からさらにサンプリングを行なってデータを間引く際に使用される第２サンプリング時間（第２時間間隔）を規定する第２サンプリング信号Ｓ２を生成する。
また、第２サンプリング部２１２は、リングバッファ２０６に記憶された測定データを読み出して、読み出した測定データを測定データ記憶部２０７に書き込むように制御する。例えば、第２サンプリング部２１２は、障害が発生した時点から所定の時間経過した時点と、障害が復旧した時点から所定の時間経過した時点とにおいて、リングバッファ２０６に記憶されたデータを、測定データＩＶＤとして測定データ記憶部２０７に書き込んで、記憶させる。
【００５１】
なお、上記第１サンプリング時間は、障害の発生時の電圧電流波形の測定データと障害の復旧時の電圧電流波形の測定データとを取得する際に共通に使用されるが、障害の復旧時の電圧電流波形を取得するサンプリング時間を、上記第１サンプリング時間とは異なるとともに、上記第２サンプリング時間よりも短い第３サンプリン時間（第３時間間隔）としてもよい。つまり、電圧電流測定部２０５は、障害が発生した時点から所定の時間経過した時点以降、第３サンプリン時間で給電経路ＡＣＬの電圧電流波形の測定データを測定し、第１サンプリング部２１１が、この第３サンプリン時間で測定された測定データをリングバッファ２０６に記憶させるようにしてもよい。
【００５２】
また、図４は、障害検出信号ＥＭと障害復旧信号ＲＥＣと測定データ送信要求信号ＳＲＥＱと測定データＩＶＤの送信信号との例を示す説明図である。
電源品質モニタ２００からデータ収集サーバ１０１に送信される障害検出信号ＥＭは、例えば、図４（Ａ）に示すように、「電源品質モニタ２００の識別情報」と、「障害検出情報」と、「障害の種別情報」とを含むように構成されている。「電源品質モニタ２００の識別情報」は、電源品質モニタ２００を一意に識別するための情報である。「障害発生の種別情報」は、例えば、「過電圧」、「不足電圧」、「過電流」、「過負荷」、「地絡検出」等の障害の種別を示す情報である。
また、電源品質モニタ２００からデータ収集サーバ１０１に送信される障害復旧信号ＲＥＣは、例えば、図４（Ｂ）に示すように、「電源品質モニタ２００の識別情報」と、「障害復旧情報」と、「復旧した障害の種別情報」とを含むように構成されている。
【００５３】
また、データ収集サーバ１０１から電源品質モニタ２００に送信される測定データ送信要求信号ＳＲＥＱ(以下、「送信要求信号ＳＲＥＱ」とも呼ぶ)は、例えば、図４（Ｃ）に示すように、「電源品質モニタ２００の識別情報」と、「測定データ送信要求情報」と、「送信要求する測定データの種別情報」とを含むように構成されている。「測定データの種別情報」は、「電流波形の測定データ」、「電圧波形の測定データ」、「地絡電流の測定データ」等を指定する情報である。
【００５４】
そして、送信要求信号ＳＲＥＱを受信した電源品質モニタ２００は、自身が「電源品質モニタの識別情報」で指定された電源品質モニタ２００であるか否かを判定する。そして、電源品質モニタ２００は、自身が「電源品質モニタの識別情報」で指定された電源品質モニタ２００であると判定した場合に、「送信要求する測定データの種別情報」に基づき、要求された測定データＩＶＤをデータ収集サーバ１０１に送信する。
電源品質モニタ２００からデータ収集サーバ１０１に送信される測定データＩＶＤの送信信号は、例えば、図４（Ｄ）に示すように、「電源品質モニタ２００の識別情報」と、「測定データの種別情報」と、「測定データＩＶＤ」とを含むように構成されている。
【００５５】
次に、図５と図６を参照し、電源品質モニタ２００の動作について説明する。図５は、電源品質モニタ２００における電圧電流波形の測定処理の手順を示すフローチャートであり、図６は、データ収集サーバ１０１からの要求に応じて測定データを送信する処理の手順を示すフローチャートである。
なお、図５に示す処理は、定常的に実施する通常処理ルーチンとして処理され、図６に示す処理は、上記の通常処理ルーチンに対する割込み処理ルーチンとして処理される。このように、データ収集サーバ１０１からの要求に応じた測定データを送信する処理を割り込み処理とすることにより、電源品質モニタ２００は、データ収集サーバ１０１からの要求に応じて、随時にかつ高応答で測定データをデータ収集サーバ１０１に送信することができる。
【００５６】
最初に、図５を参照して、電源品質モニタ２００における電圧電流波形の測定処理について説明する。まず、給電システム１の運転状態が、給電経路ＡＣＬに障害が発生していない通常運転状態にあるとする。そして、データ取得部２０４の電圧電流測定部２０５は、所定の第１サンプリング時間（例えば、１サイクル２５６ポイントのサンプリング時間）ごとに、センサ２２１により、給電経路ＡＣＬの給電線Ｕ、Ｖ、Ｗに流れる各相電流Ｉｕ、Ｉｖ、Ｉｗと、線間電圧Ｖｕｖ、Ｖｖｗ、Ｖｗｕと、零相電流Ｉｚとを測定する（ステップＳ１０）。
続いて、第１サンプリング部２１１は、各相電流Ｉｕ、Ｉｖ、Ｉｗと、線間電圧Ｖｕｖ、Ｖｖｗ、Ｖｗｕと、零相電流Ｉｚとの測定データを、リングバッファ２０６に記憶させる（ステップＳ１１）。
【００５７】
続いて、障害検出部２０８は、各相電流Ｉｕ、Ｉｖ、Ｉｗと、線間電圧Ｖｕｖ、Ｖｖｗ、Ｖｗｕと、零相電流Ｉｚとの測定データを、それぞれに対応する所定の基準データ２０９と比較することにより、給電経路ＡＣＬに障害が発生しているか否かを判定する（ステップＳ１２）。例えば、障害検出部２０８は、線間電圧Ｖｕｖ、Ｖｖｗ、Ｖｗｕを所定の基準値と比較して、半サイクルの電圧波形の実効値が所定の基準電圧の範囲内の電圧値であるか否かを判定する。
そして、ステップＳ１２において障害が発生していないと判定された場合（ステップＳ１２：Ｎｏ）、ステップＳ１０の処理に戻り、電圧電流測定部２０５は、各相電流Ｉｕ、Ｉｖ、Ｉｗと、線間電圧Ｖｕｖ、Ｖｖｗ、Ｖｗｕと、零相電流Ｉｚの測定動作を継続する。
【００５８】
一方、ステップＳ１２において障害が発生していると判定された場合（ステップＳ１２：Ｙｅｓ）、ステップＳ１３の処理に移行し、障害検出部２０８は、給電経路ＡＣＬにおいて障害が発生していることを示す障害検出信号ＥＭを、通知部２０３を介して、データ収集サーバ１０１に送信する（ステップＳ１３）。
続いて、第２サンプリング部２１２は、障害が発生したことを検出した時点から所定の時間ΔＴ１が経過した時点で、リングバッファ２０６に記憶されたデータを測定データＩＶＤとして測定データ記憶部２０７に書き込んで、記憶させる（ステップＳ１４）。
なお、測定データ記憶部２０７に記憶された「障害発生時の測定データＩＶＤ」は、後述する図６に示すように、データ収集サーバ１０１からの送信要求信号ＳＲＥＱを受信した場合にデータ収集サーバ１０１に向けて送信される。
【００５９】
これにより、電源品質モニタ２００は、障害が発生した場合に、障害が発生する前の時点から、障害の発生が確認できる時点までの範囲の測定データＩＶＤを測定データ記憶部２０７に記憶させて、この記憶した測定データＩＶＤをデータ収集サーバ１０１に送信することができる。
例えば、図７は、電源品質モニタ２００における測定データの取得動作を説明するための説明図である。この図７では、Ａ点の線間電圧Ｖｕｖの波形を例として示している。
この図７に示すように、リングバッファ２０６は、期間Ｔｓの間の波形データを第１サンプリング時間（例えば、１サイクル２５６ポイントのサンプリング時間）でサンプリングして記憶できるように構成されている。
【００６０】
そして、今、時刻ｔ１において障害が発生したとすると、第１サンプリング部２１１は、障害が発生した時刻ｔ１から時間ΔＴ１だけ遅延した時刻ｔ２まで、リングバッファ２０６に測定データを記憶させる動作を継続する。そして、時刻ｔ２において、第２サンプリング部２１２は、リングバッファ２０６に記憶された測定データを読み出して、読み出した測定データを測定データ記憶部２０７に書き込んで、記憶させる。これにより、測定データ記憶部２０７には、障害発生時刻ｔ１から時間Ｔａ（＝Ｔｓ−ΔＴ１）を遡った時刻ｔ０と、障害発生後の時刻ｔ２との間の測定データが書き込まれて、記憶される。つまり、測定データ記憶部２０７は、障害が発生する前の時点から、障害の発生が確認できる時点までの範囲の測定データを記憶することができる。
【００６１】
図５に戻り、上記ステップＳ１４の測定データの記憶処理を実行した後に、電源品質モニタ２００は、障害発生期間中サンプリングモード（ステップＳ２０）に移行する。
この障害発生期間中サンプリングモードにおいても、電圧電流測定部２０５における波形データの測定と、リングバッファ２０６への測定データの記憶とは、第１サンプリング時間ごとに行われる。
つまり、障害発生期間中サンプリングモードにおいて、電圧電流測定部２０５は、第１サンプリング時間ごとに、給電経路ＡＣＬの給電線Ｕ、Ｖ、Ｗに流れる各相電流Ｉｕ、Ｉｖ、Ｉｗと、線間電圧Ｖｕｖ、Ｖｖｗ、Ｖｗｕと、零相電流Ｉｚとを測定する（ステップＳ２１）。
そして、第１サンプリング部２１１は、電圧電流測定部２０５により測定された各相電流Ｉｕ、Ｉｖ、Ｉｗと、線間電圧Ｖｕｖ、Ｖｖｗ、Ｖｗｕと、零相電流Ｉｚとの測定データを、リングバッファ２０６に記憶させる（ステップＳ２２）。
【００６２】
続いて、電源品質モニタ２００の制御部２０１は、ステップＳ１４の処理において、測定データ記憶部２０７に記憶した「障害発生時の測定データ」を、既に、データ収集サーバ１０１に送信したか否かを判定する（ステップＳ２３）。
そして、ステップＳ２３の処理において、測定データ記憶部２０７に記憶した「障害発生時の測定データ」がデータ収集サーバ１０１に送信されていないと判定された場合（ステップＳ２３：Ｎｏ）、第２サンプリング部２１２は、リングバッファ２０６に記憶された測定データをサブサンプリングして測定データ記憶部２０７に記憶させることなく、ステップＳ２１の処理に戻る。
【００６３】
つまり、障害発生後から障害復旧までの期間において測定される「障害発生期間中の測定データ」は、「障害発生時の測定データ」に比べて重要度が低い。このため、測定データ記憶部２０７に記憶されている「障害発生時の測定データ」がデータ収集サーバ１０１に送信されていない場合、第２サンプリング部２１２は、「障害発生時の測定データ」を測定データ記憶部２０７にそのまま保持して、「障害発生期間中の測定データ」を測定データ記憶部２０７に書き込まないようにする。
なお、「障害発生時の測定データ」を測定データ記憶部２０７にそのまま保持した状態で、「障害発生期間中の測定データ」を記憶するために、「障害発生期間中の測定データ」を記憶する記憶部（測定データ記憶部２０７と同様な記録部）を、別途に設けるようにしてもよい。
【００６４】
一方、ステップＳ２３の処理において、測定データ記憶部２０７に記憶されている「障害発生時の測定データ」がデータ収集サーバ１０１に既に送信されていると判定された場合（ステップＳ２３：Ｙｅｓ）、第２サンプリング部２１２は、リングバッファ２０６に記憶されている測定データからさらにサンプリングを行なうサブサンプリングにより、リングバッファ２０６に記憶された測定データを第２サンプリング時間ごとにサブサンプリングして測定データ記憶部２０７に書き込んで記憶させる（ステップＳ２４）。つまり、電源品質モニタ２００は、「障害発生期間中サンプリングモード(ステップＳ２０)」において、リングバッファ２０６に記憶されている測定データからサブサンプリングを行うことにより、結果的にサンプリング周期を長くした測定データを、測定データ記憶部２０７に記憶させて、保存することができる。
【００６５】
例えば、図７の時刻ｔ２から時刻ｔ４までの間、つまり、障害発生時からΔＴ１経過後の時点（時刻ｔ２）から障害復旧時（時刻ｔ４）までの間、測定データ記憶部２０７には、リングバッファ２０６に記憶された測定データをサブサンプリングしたデータが書き込まれ、書き込まれた順に記憶される。測定データ記憶部２０７は、書き込まれたデータを記憶する。
なお、この「障害発生期間中サンプリングモード（ステップＳ２０）」において、測定データが不要の場合、第２サンプリング部２１２は、サブサンプリングを行うことなく、結果的にサンプリングデータを取得しないようにしてもよい。また、障害発生から復旧までの時間が長い場合に、第２サンプリング部２１２は、その間のデータを測定データ記憶部２０７に書き込まないで記憶させないようにしてもよい。
【００６６】
図５に戻り、ステップＳ２４において、第２サンプリング部２１２が、リングバッファ２０６のデータをサブサンプリングして測定データ記憶部２０７に記憶させた後に、障害検出部２０８は、リングバッファ２０６に記憶されている測定データを基準データ２０９と比較して、給電経路ＡＣＬにおいて障害が復旧したか否かを判定する（ステップＳ２５）。
そして、ステップＳ２５において障害が復旧していないと判定された場合（ステップＳ２５：Ｎｏ）、ステップＳ２１の処理に戻り、電圧電流測定部２０５は、給電経路ＡＣＬにおける電源品質の測定動作を継続する。
【００６７】
一方、ステップＳ２５において障害が復旧したと判定された場合（ステップＳ２５：Ｙｅｓ）、ステップＳ３０の処理に移行し、障害検出部２０８は、給電経路ＡＣＬにおいて障害が復旧したことを示す障害復旧信号ＲＥＣを、通知部２０３を介してデータ収集サーバ１０１に送信する（ステップＳ３０）。
続いて、第２サンプリング部２１２は、障害復旧を検出した時刻から所定の時間ΔＴ１が経過した時点で、リングバッファ２０６のデータを測定データ記憶部２０７に書き込んで、記憶させる（ステップＳ３１）。
【００６８】
例えば、図７に示すように、時刻ｔ４において障害が復旧したことが検出された場合、第１サンプリング部２１１は、障害が復旧した時刻ｔ４から時間ΔＴ１だけ遅延した時刻ｔ５まで、リングバッファ２０６に測定データを記憶させる動作を継続する。そして、
時刻ｔ５において、第２サンプリング部２１２は、リングバッファ２０６に記憶された測定データを測定データ記憶部２０７に書き込んで、記憶させる。これにより、測定データ記憶部２０７には、時刻ｔ４から期間Ｔａ（＝Ｔｓ−ΔＴ１）を遡った時刻ｔ３と、時刻ｔ５との間の測定データが記憶されて、保存される。つまり、測定データ記憶部２０７は、障害が復旧する前の時点から、障害の復旧が確認できる時点までの範囲の測定データを記憶することができる。
なお、測定データ記憶部２０７に記憶された「障害復旧時の測定データ」は、後述する図６に示すように、データ収集サーバ１０１からの送信要求信号ＳＲＥＱを受信した場合にデータ収集サーバ１０１に向けて送信される。
これにより、電源品質モニタ２００は、障害が復旧した場合に、障害が復旧する前の時点から、障害の復旧が確認できる時点までの範囲の測定データを測定データ記憶部２０７に書き込んで、記憶させて、この記憶した測定データをデータ収集サーバ１０１に送信することができる。
そして、図５のステップＳ３１の処理を終了した後に、ステップＳ１０の処理に戻り、電源品質モニタ２００は、給電経路ＡＣＬにおける電源品質の測定動作を継続する。
なお、図５に示す処理では、「障害発生時の測定データ」を取得する時間範囲を、障害が発生した時点（例えば、図７の時刻ｔ１）を基準の時点にして定めているが、この基準の時点は、障害が発生した後の時点でもよい。同様にして、「障害復旧時の測定データ」を取得する際の基準の時点は、障害が復旧した後の時点でもよい。
【００６９】
次に、図６を参照して、データ収集サーバ１０１からの要求に応じて測定データ記憶部２０７に保存された測定データＩＶＤを送信する処理について説明する。なお、以下の説明では、この図６に示す処理を、図５に示す通常処理ルーチンに対する割込み処理ルーチンとして説明する。
まず、電源品質モニタ２００の受信部２０２は、データ収集サーバ１０１から測定データＩＶＤの送信を要求する送信要求信号ＳＲＥＱを受信することに起因して割込み処理を起動する（ステップＳ４１）。受信部２０２が送信要求信号ＳＲＥＱを受信した後、通知部２０３は、直ちに、測定データ記憶部２０７から測定データＩＶＤを読み出し（ステップＳ４２）、この測定データＩＶＤを送信要求信号ＳＲＥＱに応じてデータ収集サーバ１０１に送信する（ステップＳ４３）。このステップＳ４３の処理を実施した後に、電源品質モニタ２００の処理は、通常処理ルーチンに戻る。
これにより、電源品質モニタ２００では、データ収集サーバ１０１から測定データＩＶＤの送信要求信号ＳＲＥＱを受信した場合に、直ちに、測定データＩＶＤを含む応答信号をデータ収集サーバ１０１に送信することができる。
【００７０】
なお、図５及び図６に示した例では、電源品質モニタ２００からデータ収集サーバ１０１に測定データＩＶＤを送信する場合に、電源品質モニタ２００は、データ収集サーバ１０１から送信要求信号ＳＲＥＱを受信したことに応答して測定データＩＶＤを送信する例について説明したが、この方法に限定されない。例えば、電源品質モニタ２００は、給電経路ＡＣＬにおける障害発生を検出した場合に、障害検出信号ＥＭとともに測定データＩＶＤをデータ収集サーバ１０１に送信するようにしてもよい。また、同様に、電源品質モニタ２００は、給電経路ＡＣＬにおける障害復旧を検出した場合に、障害復旧信号ＲＥＣとともに測定データＩＶＤをデータ収集サーバ１０１に送信するようにしてもよい。
【００７１】
（データ収集サーバ１０１の構成）
図３に戻り、データ収集サーバ１０１の構成について説明する。データ収集サーバ１０１は、電源品質モニタ２００と、通信ネッワーク１００を介して通信接続されている。データ収集サーバ１０１は、この通信ネッワーク１００を介して、電源品質モニタ２００から給電経路ＡＣＬにおける電源品質の測定データを収集して、給電経路ＡＣＬの給電状態を監視する。
【００７２】
このデータ収集サーバ１０１は、コントロールパネル１０２と、障害情報受信部１０３と、測定データ収集部１０４と、障害位置判定部１０５と、障害内容解析部１０６と、記憶部１１０と、を備える。
記憶部１１０には、給電システム１における電源設備や負荷装置の配置情報と、給電経路ＡＣＬの接続情報とが系統情報１１１として予め記憶されている。また、記憶部１１０には、給電経路ＡＣＬにおける電源品質モニタ２００の配置位置を示す位置情報１１２が記録されている。また、記憶部１１０には、電源品質モニタ２００から収集した測定データＩＶＤが測定データ１１３として記憶される。
なお、電源品質監視装置の位置情報１１２は、系統上の位置と、実際に配置されている位置の何れの位置を示すものであってもよい。
【００７３】
障害情報受信部１０３は、給電経路ＡＣＬに配置された各電源品質モニタ２００から送信される障害検出信号ＥＭを受信して、給電経路ＡＣＬにおいて障害が発生したことを検出する。また。障害情報受信部１０３は、各電源品質モニタ２００から送信される障害復旧信号ＲＥＣを受信して、給電経路ＡＣＬにおいて障害が復旧したことを検出する。
【００７４】
測定データ収集部１０４は、電源品質モニタ２００から障害検出信号ＥＭを受信した場合や、障害復旧信号ＲＥＣを受信した場合に、当該電源品質モニタ２００に送信要求信号ＳＲＥＱを送信することにより、電源品質モニタ２００において計測された測定データＩＶＤを収集する。
なお、測定データ収集部１０４は、送信要求信号ＳＲＥＱを電源品質モニタ２００に送信して測定データＩＶＤの送信を要求する場合に、例えば、各相電流Ｉｕ、Ｉｖ、Ｉｗの測定データＩＶＤと、線間電圧Ｖｕｖ、Ｖｖｗ、Ｖｗｕの測定データＩＶＤと、零相電流Ｉｚの測定データＩＶＤとのうちの何れかまたは全部を指定して送信を要求することができる。
【００７５】
障害位置判定部１０５は、電源品質モニタ２００から受信した障害検出信号ＥＭと、系統情報１１１と、電源品質モニタ２００の位置情報１１２とに基づいて、給電経路ＡＣＬにおいて障害が発生した位置を判定する。また、障害位置判定部１０５は、電源品質モニタ２００から受信した障害復旧信号ＲＥＣと、系統情報１１１と、電源品質モニタ２００の位置情報１１２とに基づいて、給電経路ＡＣＬにおいて障害が復旧した位置を判定する。
【００７６】
障害内容解析部１０６は、電源品質モニタ２００から収集した測定データＩＶＤの情報と、系統情報１１１と、電源品質モニタ２００の位置情報１１２とに基づいて、給電経路ＡＣＬにおける障害内容を解析する。例えば、障害内容解析部１０６は、複数の電源品質モニタ２００から線間短絡の障害検出信号ＥＭを受信した場合に、各電源品質モニタ２００から収集した測定データＩＶＤの波形データを解析して、電圧波形の大きさの差を比較することにより、短絡が発生している給電経路ＡＣＬ上の位置等を判定することができる。
【００７７】
また、データ収集サーバ１０１は、コントロールパネル１０２を備え、このコントロールパネル１０２は、給電経路ＡＣＬにおける障害発生位置或いは区間を表示パネル上に表示するとともに、ユーザの操作により電源品質モニタ２００から収集した測定データＩＶＤを表示画面上に表示する。このコントロールパネル１０２の表示画面の詳細については、後述する。
【００７８】
図８は、電源品質モニタ２００とデータ収集サーバ１０１との間における測定データの収集処理の流れを示す説明図である。以下、図８を参照して、障害発生時と復旧時における測定データの収集処理の手順について説明する。
まず、給電経路ＡＣＬの特定の区間に線間短絡事故や地絡事故等の障害が発生したとする。この給電経路ＡＣＬにおける障害の発生を、電源品質モニタ２００の障害検出部２０８が検出する（ステップＳ１００）。障害検出部２０８が給電経路ＡＣＬにおける障害の発生を検出した場合、障害検出部２０８は、通知部２０３を介して、障害検出信号ＥＭをデータ収集サーバ１０１に送信する（ステップＳ１０５）。
【００７９】
続いて、電源品質モニタ２００の第２サンプリング部２１２は、障害の発生を検出してから所定の時間ΔＴ１が経過した時点で、リングバッファ２０６に記憶された測定データを測定データ記憶部２０７に書き込んで、記憶させる（ステップＳ１１０）。これにより、電源品質モニタ２００は、給電経路ＡＣＬに障害が発生した場合に、障害が発生する前の時点から、障害の発生が確認できる時点までの範囲の測定データを測定データ記憶部２０７に記憶することができる。
【００８０】
一方、データ収集サーバ１０１において、障害情報受信部１０３が、電源品質モニタ２００から障害検出信号ＥＭを受信すると（ステップＳ１１５）、続いて、障害位置判定部１０５が、電源品質モニタ２００から受信した障害検出信号ＥＭと、給電システム１の系統情報１１１と、電源品質モニタ２００の位置情報１１２とに基づいて、給電経路ＡＣＬにおける障害発生位置と、障害の内容とを判定する（ステップＳ１２０）。
続いて、測定データ収集部１０４は、障害検出信号ＥＭを送信した電源品質モニタ２００に対して、送信要求信号ＳＲＥＱを送信する（ステップＳ１２５）。
【００８１】
続いて、電源品質モニタ２００において、受信部２０２が、電源品質モニタ２００から送信要求信号ＳＲＥＱを受信すると（ステップＳ１３０）、続いて、通知部２０３が、測定データ記憶部２０７に記憶された測定データＩＶＤを読み出して、この測定データＩＶＤをデータ収集サーバ１０１に送信する（ステップＳ１３５）。
続いて、データ収集サーバ１０１において、測定データ収集部１０４が、電源品質モニタ２００から測定データＩＶＤを受信して、この受信した測定データＩＶＤを記憶部１１０に測定データ１１３として記憶する（ステップＳ１４０）。
続いて、障害内容解析部１０６は、電源品質モニタ２００から受信した測定データＩＶＤの内容を解析して、障害発生の原因等を判定する（ステップＳ１４５）。
続いて、コントロールパネル１０２は、障害発生位置や、障害発生の内容を示す障害情報を表示画面上に表示する（ステップＳ１５０）。
【００８２】
その後、障害検出信号ＥＭを送信した電源品質モニタ２００は、障害発生後から障害復旧までの間、「障害発生期間中サンプリングモード」に移行する（ステップＳ１６０）。なお、この「障害発生期間中サンプリングモード」において、データ収集サーバ１０１は、電源品質モニタ２００から測定データを収集する場合に、当該電源品質モニタ２００に対して、測定データの送信要求信号ＳＲＥＱを送信して、測定データを収集することができる。
【００８３】
その後、障害検出信号ＥＭを送信した電源品質モニタ２００において、障害検出部２０８が、給電経路ＡＣＬにおける障害が復旧したことを検出すると（ステップＳ１６５）、続いて、障害検出部２０８は、障害が復旧したことを示す障害復旧信号ＲＥＣを、通知部２０３を介してデータ収集サーバ１０１に送信する（ステップＳ１７０）。
続いて、第２サンプリング部２１２は、障害が復旧してから所定の時間ΔＴ１が経過した時点で、リングバッファ２０６に記憶された測定データを測定データ記憶部２０７に書き込んで、記憶する（ステップＳ１７５）。これにより、電源品質モニタ２００は、障害が復旧した場合に、障害が復旧する前の時点から、障害の復旧が確認できる時点までの範囲の測定データを測定データ記憶部２０７に記憶することができる。
【００８４】
一方、データ収集サーバ１０１において、障害情報受信部１０３が、電源品質モニタ２００から障害復旧信号ＲＥＣを受信すると（ステップＳ１８０）、続いて、障害位置判定部１０５が、障害復旧信号ＲＥＣと、給電システム１の系統情報１１１と、電源品質モニタ２００の位置情報１１２とに基づいて、給電経路ＡＣＬにおける障害復旧位置と、障害復旧の内容とを判定する（ステップＳ１８５）。
続いて、測定データ収集部１０４は、障害復旧信号ＲＥＣを送信した電源品質モニタ２００に、測定データＩＶＤの送信要求信号ＳＲＥＱを送信する（ステップＳ１９０）。
【００８５】
一方、電源品質モニタ２００において、受信部２０２が、データ収集サーバ１０１から送信要求信号ＳＲＥＱを受信すると（ステップＳ１９５）、続いて、通知部２０３が、測定データ記憶部２０７に記憶された測定データＩＶＤを読み出して、この測定データＩＶＤをデータ収集サーバ１０１に送信する（ステップＳ２００）。
続いて、データ収集サーバ１０１において、測定データ収集部１０４が、電源品質モニタ２００から測定データＩＶＤを受信して、この測定データＩＶＤを記憶部１１０に測定データ１１３として記憶する（ステップＳ２１０）。続いて、障害内容解析部１０６は、電源品質モニタ２００から受信した測定データＩＶＤを解析して、障害復旧位置や障害復旧内容を判定する（ステップＳ２１５）。
続いて、コントロールパネル１０２は、給電経路ＡＣＬにおける障害復旧位置や、障害復旧情報を表示画面上に表示する（ステップＳ２２０）。
【００８６】
上述した電源品質モニタ２００とデータ収集サーバ１０１との間の処理の流れにより、データ収集サーバ１０１は、給電経路ＡＣＬに障害が発生した場合に、障害が発生する前の時点から障害の発生が確認できる時点までの範囲の測定データＩＶＤを、電源品質モニタ２００から取得することができる。また、データ収集サーバ１０１は、給電経路ＡＣＬにおいて障害が復旧した場合に、障害が復旧する前の時点から障害の復旧が確認できる時点までの範囲の測定データを、電源品質モニタ２００から取得することができる。
【００８７】
（コントロールパネル１０２における波形の表示例）
データ収集サーバ１０１は、コントロールパネル１０２を備える。このコントロールパネル１０２は、給電経路ＡＣＬにおける障害発生位置（或いは区間）を表示パネル上に表示するとともに、ユーザの操作により電源品質モニタ２００で測定された測定データを表示する際に使用される。
【００８８】
図９は、コントロールパネル１０２の一例を示す説明図である。この図９に示す例は、タッチパネル式の表示画面１２１上に、「給電システム１の単線結線図の表示画面１２２」と、操作を検出する位置を示す「ＰＱ選択ボタン１２３」、「電圧波形選択ボタン１２４」、及び「電流波形選択ボタン１２５」を配置した場合を示す。
【００８９】
例えば、この単線結線図の表示画面１２２において、電源品質モニタ２００の状態を、当該スイッチ部を破線で囲む領域の色で示す。例えば、電源品質モニタ２００が障害発生を検出していない状態にある場合は「緑色」で表示し、電源品質モニタ２００が障害発生を検出している場合は「赤色」で表示する。
また、電源品質モニタ２００が障害の発生を検出している場合、当該電源品質モニタ２００が配置されている給電経路ＡＣＬの区間を、例えば、「赤色」で表示し、電源品質モニタ２００が障害の発生を検出してない場合、当該電源品質モニタ２００が配置されている給電経路ＡＣＬの区間を、例えば、「緑」で表示するようにしてもよい。例えば、給電経路ＡＣＬのＥ点に配置された電源品質モニタＰＱｅ）で障害が発生していることを検出している場合、ＵＰＳとＰＤＦを結ぶ給電経路ＡＣＬの区間を「赤色」で表示するようにしてもよい。
なお、上述の表示色と表示形態については、一例を示したものであって、他の表示色及び表示形態を用いて行ってもよい。
【００９０】
そして、例えば、「ＰＱａ」で示す電源品質モニタ２００の電圧波形を表示する場合、ユーザは、ＰＱ選択ボタン１２３を操作し、その後に、単線結線図の表示画面１２２上でＰＱａの破線で囲まれる領域を操作する。このＰＱａを示す領域を操作することにより、コントロールパネル１０２は、ＰＱａを示す領域の点滅表示を開始させる。他のＰＱａからＰＱｈについても同様である。
そして、このＰＱａを示す領域が点滅表示されている状態において、電圧波形選択ボタン１２４を操作することにより、ＰＱａにおける電圧波形を表示するためのポップアップ画面１３１が表示される。
【００９１】
ポップアップ画面１３１は、表示画面上に、「波形表示画面１３２」と、操作を検出する位置を示す「障害発生時選択ボタン１３３」と、「障害復旧時選択ボタン１３４」と、「線間電圧Ｖｕｖ１４１」と、「線間電圧Ｖｖｗ１４２」と、「線間電圧Ｖｗｕ１４３」と、「表示終了ボタン１４４」と、を配置した場合を示す。
【００９２】
そして、ポップアップ画面１３１の「波形表示画面１３２」に、障害発生時の線間電圧Ｖｕｖを表示させる場合、ユーザは、「障害発生時選択ボタン１３３」と「線間電圧Ｖｕｖ１４１」とを操作する。また、「波形表示画面１３２」に、障害復旧時の線間電圧Ｖｕｖを表示させる場合、ユーザは、「障害復旧時選択ボタン１３４」と「線間電圧Ｖｕｖ１４１」とを操作する。他の線間電圧Ｖｖｗ」と線間電圧Ｖｗｕの表示についても同様である。
そして、ポップアップ画面１３１による波形表示を終了する場合は、表示終了ボタン１４４を操作することにより、ポップアップ画面１３１の表示が終了する。
なお、ポップアップ画面１３１の波形表示画面１３２の例では、線間電圧Ｖｕｖの波形と共に、障害発生位置（時点）をマーカ（▽印）で表示する例を示しているが、電圧値や周波数や障害発生時刻等のデータを併記して表示するようにしてもよい。
【００９３】
また、ＰＱａにおける電流波形を表示させる場合は、「ＰＱ選択ボタン１２３」を操作した後、ＰＱａを示す領域が点滅表示されている状態において、電流波形選択ボタン１２５を操作することにより、ＰＱａにおける電流波形を表示するためのポップアップ画面（不図示）が表示される。この電流波形を表示するためのポップアップ画面は、電圧波形を表示するポップアップ画面１３１と同様な表示を行うものであり、その説明は省略する。
なお、上述のポップアップ画面１３１の表示形態については、一例を示したものであって、他の表示形態を用いて行ってもよい。
【００９４】
このように、ユーザは、コントロールパネル１０２の表示画面１２１上で、電源品質モニタ２００を選択して、当該選択した電源品質モニタ２００の測定データを波形表示して確認することができる。
また、図９に示したポップアップ画面１３１の例では、図面の見易さのために、１つの波形のみを表示する例を示したが、複数の波形を同時に表示するようにしてよく、また、電圧波形と電流波形を同時に表示するようにしてもよい。
また、データ収集サーバ１０１に、携帯端末（例えば、タブレット端末等）との通信機能を設けておき、電源品質モニタ２００から収集した測定データを、携帯端末の表示画面上に表示するようにしてもよい。
【００９５】
［第２実施形態］
上述した第１実施形態では、給電経路ＡＣＬにおいて障害が発生した場合に、データ収集サーバ１０１は、障害が発生していることを検出した全ての電源品質モニタ２００から測定データを収集することを前提にしているが、測定データを収集する対象となる電源品質モニタ２００を一部の電源品質モニタ２００に制限することができる。
例えば、データ収集サーバ１０１は、給電経路ＡＣＬの階層と、給電経路ＡＣＬにおける上流と下流との位置関係に応じて、測定データを収集する電源品質モニタ２００を選択する条件を変えることができる。例えば、データ収集サーバ１０１が、給電経路ＡＣＬの上流と下流の位置関係にある電源品質モニタ２００から同時に障害検出信号ＥＭを受信した場合に、下流の電源品質モニタ２００をデータ収集の対象から除くことができる。つまり、データ収集サーバ１０１は、複数の電源品質モニタ２００から障害判定に必要となる電源品質モニタ２００の選択を行うようにしてもよい。
【００９６】
図１０は、本発明の第２実施形態に係る給電システム１Ａの概略構成を示す構成図である。この図１０に示す給電システム１Ａは、図１に示す給電システム１と比較して、データ収集サーバ１０１Ａの制御動作が一部異なるものである。他の構成は、図１に示す給電システム１と同様である。このため、同一の構成部分には同一の符号を付し、重複する説明は省略する。
【００９７】
また、図１１は、本発明の第２実施形態に係るデータ収集サーバ１０１Ａの構成を示す構成図である。この図１１に示すデータ収集サーバ１０１Ａは、図３に示すデータ収集サーバ１０１と比較して、測定データ収集部１０４内に、モニタ選択部（監視装置選択部）１０４Ａを新たに追加した点だけが異なる。他の構成は、図３に示すデータ収集サーバ１０１と同様である。このため、同一の構成部分には同一の符号を付し、重複する説明は省略する。
【００９８】
そして、このモニタ選択部１０４Ａは、電源品質モニタ２００から障害検出信号ＥＭを受信した場合に、障害位置判定部１０５により判定した障害発生位置の情報と、給電経路ＡＣＬの系統情報１１１と、電源品質モニタ２００の位置情報１１２とに基づいて、測定データを収集する対象となる電源品質モニタ２００を選択する。
また、モニタ選択部１０４Ａは、電源品質モニタ２００から障害復旧信号ＲＥＣを受信した場合に、障害位置判定部１０５により判定した障害復旧位置の情報と、給電経路ＡＣＬの系統情報１１１と、電源品質モニタ２００の位置情報１１２とに基づいて、測定データを収集する対象となる電源品質モニタ２００を選択する。
【００９９】
例えば、図１０において、データ収集サーバ１０１Ａが、電源品質モニタ（ＰＱｃ）２００ｃから障害検出信号ＥＭを受信した場合、データ収集サーバ１０１は、電源品質モニタ（ＰＱｃ）２００ｃの下流に位置する電源品質モニタ（ＰＱｅ）２００ｅと、電源品質モニタ（ＰＱｆ）２００ｆと、電源品質モニタ（ＰＱｇ）２００ｇと、を測定データの収集対象から除外する。つまり、電源品質モニタ（ＰＱｃ）２００ｃから障害検出信号ＥＭを受信した場合、データ収集サーバ１０１は、電源品質モニタ（ＰＱｅ）２００ｅと、電源品質モニタ（ＰＱｆ）２００ｆと、電源品質モニタ（ＰＱｇ）２００ｇとの何れかが障害検出信号ＥＭを送信している場合においても、測定データの収集対象から除外する。
【０１００】
このように、測定データを収集する対象となる電源品質モニタ２００を一部に制限することにより、給電経路ＡＣＬ上に電源品質モニタ２００が多数配置される場合に、データ収集サーバ１０１は、測定データを収集するための負荷を軽減することができるとともに、データ収集サーバ１０１Ａにおける障害内容を解析する際の負荷を軽減することができる。さらには、通信ネッワーク１００における通信負荷を軽減することができる。
【０１０１】
また、図１２は、電源品質モニタ２００とデータ収集サーバ１０１Ａとの間における測定データの収集処理の流れを示すシーケンス図である。
この図１２に示すシーケンス図は、図８に示すシーケンス図と比較して、ステップＳ１２１の処理と、ステップＳ１８６の処理とを新たに追加した点だけが異なる。このため、図１２において、図８と同じ処理内容のステップについては、同じステップ番号を付し、重複する説明は省略する。
【０１０２】
つまり、図１２に示す例では、データ収集サーバ１０１Ａの障害情報受信部１０３が、複数の電源品質モニタ２００から障害検出信号ＥＭを受信した場合に（ステップＳ１１５）、障害位置判定部１０５は、記憶部１１０に記憶された系統情報１１１と、電源品質モニタ２００の位置情報１１２とを参照し、障害検出信号ＥＭを送信したそれぞれの電源品質モニタ２００の給電経路ＡＣＬ上での位置と、障害の内容を判定する（ステップＳ１２０）。
そして、測定データ収集部１０４のモニタ選択部１０４Ａは、ステップＳ１２０における障害位置の判定結果に基づいて、測定データを収集する対象となる電源品質モニタ２００を選択する（ステップＳ１２１）。
続いて、測定データ収集部１０４は、ステップＳ１２１において選択した電源品質モニタ２００に送信要求信号ＳＲＥＱを送信して（ステップＳ１２５）、測定データを収集する。
【０１０３】
また、データ収集サーバ１０１Ａの障害情報受信部１０３が、複数の電源品質モニタ２００から障害復旧信号ＲＥＣを受信した場合に（ステップＳ１８０）、障害位置判定部１０５は、記憶部１１０に記憶された系統情報１１１と、電源品質モニタ２００の位置情報１１２とを参照し、障害復旧信号ＲＥＣを送信したそれぞれの電源品質モニタ２００の給電経路ＡＣＬ上での位置を判定する（ステップＳ１８５）。
そして、測定データ収集部１０４のモニタ選択部１０４Ａは、ステップＳ１８５における障害復旧位置の判定結果に基づいて、測定データを収集する対象となる電源品質モニタ２００を選択する（ステップＳ１８６）。
続いて、測定データ収集部１０４は、ステップＳ１８６において選択した電源品質モニタ２００に送信要求信号ＳＲＥＱを送信して（ステップＳ１９０）、測定データを収集する。
【０１０４】
以上説明したように、第２実施形態の給電システム１Ａでは、測定データを収集する対象となる電源品質モニタ２００を一部の電源品質モニタ２００に制限することにより、給電経路ＡＣＬ上に電源品質モニタ２００が多数配置される場合に、データ収集サーバ１０１Ａは、測定データを収集するための負荷を軽減することができる。また、データ収集サーバ１０１Ａにおける障害内容の解析処理の負荷を軽減することができる。
【０１０５】
なお、上述の第１実施形態の給電システム１及び第２実施形態の給電システム１Ａでは、交流電力の給電システムの例について説明したが、例えば、給電システム１や給電システム１Ａが直流電力を給電する直流給電システムの場合においても、本発明は好適に適用できるものである。
また、上述の第１実施形態の給電システム１及び第２実施形態の給電システム１Ａでは、給電経路ＡＣＬが樹枝状に構成される給電システムの例について説明したが、給電システム内にループ状の給電経路を含む場合においても、本発明は好適に適用できるものである。
【０１０６】
また、上記実施形態において、データ収集サーバ１０１及び１０１Ａ内の各処理部、及び電源品質モニタ２００内の各処理部の機能は専用のハードウェアにより実現されるものであってもよく、また、各処理部の機能を実現するためのプログラムをコンピュータ読み取り可能な記録媒体に記録して、この記録媒体に記録されたプログラムをコンピュータシステムに読み込ませ、実行することによりその機能を実現させるものであってもよい。
【０１０７】
すなわち、データ収集サーバ１０１及び１０１Ａ、及び電源品質モニタ２００は、内部にコンピュータシステムを有している。そして、上述した処理に関する一連の処理の過程は、プログラムの形式でコンピュータ読み取り可能な記録媒体に記憶されており、このプログラムをコンピュータが読み出して実行することによって、上記処理が行われる。ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。また、ここでいう「コンピュータシステム」とは、ＯＳや周辺機器等のハードウェアを含むものとする。
【０１０８】
なお、ここで、本発明と上述した実施形態との対応関係について補足して説明する。本発明における給電システムは、給電システム１（図１）、又は給電システム１Ａ（図１０）が対応し、本発明における電源品質監視装置は、電源品質モニタ２００が対応する。また、本発明におけるデータ取得部は、データ取得部２０４が対応し、本発明における第１記憶部は、リングバッファ２０６が対応し、本発明における第２記憶部は、測定データ記憶部２０７が対応する。また、本発明における障害検出部は、障害検出部２０８が対応し、本発明におけるデータ収集サーバは、データ収集サーバ１０１（図３）又は１０１Ａ（図１１）が対応する。また、本発明における第１時間間隔は、第１サンプリング時間が対応し、本発明における第２時間間隔は、第２サンプリング時間が対応し、本発明における
第３時間間隔は、第２サンプリング時間が対応する。なお、第１時間間隔と、第３時間間隔とが同じ場合もある。
【０１０９】
（１）そして上記実施形態において、給電システム１（給電システム）は、給電経路ＡＣＬを介して系統内の負荷装置に電力を供給するとともに、給電経路ＡＣＬの所定の位置には当該位置における給電経路の電源品質の測定データを取得する電源品質モニタ２００（電源品質監視装置）が配置される給電システム１であって、電源品質モニタ２００は、電源品質の測定データを取得するデータ取得部２０４と、測定データに基づいて、給電経路ＡＣＬにおける障害発生と障害復旧とを検出する障害検出部２０８と、を備え、データ取得部２０４は、給電経路ＡＣＬにおける障害発生と障害復旧の検出状態に応じて、測定データを取得する時間間隔を制御する。
【０１１０】
このような構成の給電システム１（給電システム）では、給電経路ＡＣＬに接続された無停電電源装置（ＵＰＳ）２１や、直流電源装置（ＲＦ）３１や、負荷装置Ｌ１１からＬ１４に電力を供給する。この給電経路ＡＣＬの所定の位置には、給電経路ＡＣＬの電源品質（例えば、電圧波形や電流波形等）を測定する電源品質モニタ２００が配置される。この電源品質モニタ２００は、電源品質の測定データを取得する時間間隔を制御するデータ取得部２０４を備える。
このデータ取得部２０４により、給電経路ＡＣＬにおける障害発生時及び障害復旧時には、測定データを短い時間間隔である第１サンプリング時間（第１時間間隔）で取得し、障害が発生した後から障害が復旧するまでの間は、測定データを長い時間間隔である第２サンプリング時間（第２時間間隔）で取得する。
これにより、給電システム１では、給電経路ＡＣＬにおける障害発生時、障害が発生した後から障害が復旧するまでの間、及び障害復旧時において、給電経路に供給されている電源の電源品質を測定してその測定データを収集することができる。
【０１１１】
（２）また、上記実施形態において、データ取得部２０４は、例えば、図７に示すように、障害検出部２０８により給電経路ＡＣＬにおける障害発生が検出された際に、当該障害発生時を基準に定めた時刻ｔ１（第１時点）と、障害発生時（時刻ｔ１）から所定の時間が経過した時刻ｔ２（第２時点）と、の間における測定データを、第１サンプリング時間（第１時間間隔）で取得し、障害発生時（時刻ｔ１）から所定の時間が経過した時刻ｔ２（第２時点）と、障害復旧時（時刻ｔ４）から所定の時間遡った時刻ｔ３（第３時点）と、の間における測定データを、第１サンプリング時間よりも時間間隔が長い第２サンプリング時間（第２時間間隔）で取得し、障害検出部２０８により障害復旧が検出された際に、当該障害復旧時(時刻ｔ４)から所定の時間遡った時刻ｔ３（第３時点）と、障害復旧時から所定の時間が経過した時刻ｔ５（第４時点）と、の間における測定データを、第２時間間隔よりも時間間隔が短い第３サンプリング時間（第３時間間隔）で取得する。
これにより、給電システム１では、給電経路ＡＣＬにおける障害発生時、障害が発生した後から障害が復旧するまでの間、及び障害復旧時において、給電経路に供給されている電源の電源品質を測定してその測定データを収集することができる。
【０１１２】
（３）また、上記実施形態において、データ取得部２０４は、現在の時点から所定の過去の時点までの測定データを第１サンプリング時間（第１時間間隔）で取得して、取得した測定データをリングバッファ２０６（第１記憶部）に書き込んで記憶させるように制御する第１サンプリング部２１１と、リングバッファ２０６に記憶されている測定データを測定データ記憶部２０７（第２記憶部）に書き込むように制御する第２サンプリング部２１２と、を備え、第２サンプリング部２１２は、障害発生時から所定の時間が経過した時刻ｔ２（第２時点）と、障害復旧時から所定の時間が経過した時刻ｔ５（第４時点）とにおいて、リングバッファ２０６に記憶された測定データを読み出して、読み出した測定データを測定データ記憶部２０７に書き込むように制御するとともに、時刻ｔ２（第２時点）から障害復旧の時点（時刻ｔ４）までの間において、リングバッファ２０６に記憶されている測定データを第２サンプリング時間（第２時間間隔）でサブサンプリングして、サブサンプリングされた測定データを測定データ記憶部２０７に書き込むように制御する。
【０１１３】
このように、データ取得部２０４は、リングバッファ２０６（第１記憶部）と測定データ記憶部２０７（第２記憶部）とで構成されるダブルバッファを備え、第１サンプリング部２１１は、常時、第１サンプリング時間（第１時間間隔）で取得した測定データをリングバッファ２０６に記憶させる。そして、第２サンプリング部２１２は、給電経路ＡＣＬにおける障害発生と障害復旧の検出状態と検出タイミングとに基づいて、リングバッファ２０６に記憶されたデータをそのまま測定データ記憶部２０７（第２バッファ）に書き込んで記憶させるか、又は、リングバッファ２０６に記憶されたデータを第２サンプリング時間（第２時間間隔）でサンプリングして測定データ記憶部２０７（第２バッファ）に記憶させるかを制御する。
これにより、データ取得部２０４は、給電経路ＡＣＬにおける障害発生時、及び障害復旧時において、第１サンプリング時間（第１時間間隔）でサンプリングした測定データを取得することができる。また、データ取得部２０４は、障害が発生した後から障害が復旧するまでの間において、第２サンプリング時間（第２時間間隔）でサンプリングした測定データを取得することができる。
【０１１４】
（４）また、上記実施形態において、給電システム１（給電システム）は、給電経路ＡＣＬにおける障害発生を示す障害検出信号ＥＭ（障害検出情報）と、給電経路ＡＣＬにおける障害復旧を示す障害復旧信号ＲＥＣ（障害復旧情報）と、測定データＩＶＤとを、電源品質モニタ２００（電源品質監視装置）から受信するデータ収集サーバ１０１を備える。このデータ収集サーバ１０１は、給電経路ＡＣＬの接続構成を示す系統情報１１１と、給電経路ＡＣＬに配置される電源品質モニタ２００の位置情報１１２とを記憶する記憶部１１０を備える。また、データ収集サーバ１０１は、電源品質モニタ２００から、障害検出信号ＥＭと、障害復旧信号ＲＥＣとを受信する障害情報受信部１０３と、障害検出信号ＥＭを受信した場合に、系統情報１１１と電源品質モニタ２００の位置情報１１２とに基づいて、給電経路ＡＣＬにおいて障害が発生した位置を判定するとともに、障害復旧信号ＲＥＣを受信した場合に、系統情報１１１と電源品質モニタ２００の位置情報１１２とに基づいて、給電経路ＡＣＬにおいて障害が復旧した位置を判定する障害位置判定部１０５と、を備える。
これにより、給電システム１（給電システム）では、データ収集サーバ１０１が、給電経路ＡＣＬにおける障害が発生した位置（或いは区間）と、給電経路ＡＣＬにおける障害が復旧した位置（或いは区間）と、を判定することができる。
【０１１５】
（５）また、上記実施形態において、データ収集サーバ１０１Ａ（図１１）は、測定データを収集する対象となる電源品質モニタ２００（電源品質監視装置）を選択するモニタ選択部１０４Ａ（監視装置選択部）を備え、モニタ選択部１０４Ａは、電源品質モニタ２００から障害検出信号ＥＭ（障害検出情報）を受信した場合に、障害位置判定部１０５により判定した障害が発生した位置の情報と、給電経路ＡＣＬの系統情報１１１と、電源品質モニタ２００の位置情報１１２とに基づいて、測定データを収集する対象となる電源品質モニタ２００を選択し、電源品質モニタ２００から障害復旧信号ＲＥＣ（障害復旧情報）を受信した場合に、障害位置判定部１０５により判定した障害が復旧した位置の情報と、給電経路ＡＣＬの系統情報１１１と、電源品質モニタ２００の位置情報１１２とに基づいて、測定データを収集する対象となる電源品質モニタ２００を選択する。
【０１１６】
このような構成により、データ収集サーバ１０１Ａ（データ収集サーバ）は、測定データを収集する電源品質モニタ２００（電源品質監視装置）を一部に制限することができる。例えば、上位の階層（上流）に位置する電源品質モニタ２００と、この上位の階層の下層（下流）に位置する電源品質モニタ２００から障害検出信号ＥＭ（障害検出情報）を同時に受信した場合、データ収集サーバ１０１Ａは、上位の階層に位置する電源品質モニタ２００のみから測定データを収集する。これにより、データ収集サーバ１０１Ａは、測定データを収集する負荷を軽減できるとともに、障害発生の要因を解析する対象となる範囲を制限して、解析処理の負荷を低減することができる。
【０１１７】
以上、本発明の実施の形態について説明したが、本発明の給電システム１、給電システム１Ａ、及び電源品質モニタ２００は、上述の図示例にのみに限定されるものではなく、本発明の要旨を逸脱しない範囲内において種々変更を加え得ることは勿論である。
【符号の説明】
【０１１８】
１，１Ａ・・・給電システム、２・・・商用電力系統、３・・・給電系統切替部、
４・・・エンジン発電機（ＥＧ）、１０・・・受電設備、
２１・・・無停電電源装置（ＵＰＳ）、
３１・・・直流電源装置（ＲＦ）、４１，４２，５１・・・分電盤（ＰＤＦ）、
１００・・・通信ネッワーク、１０１，１０１Ａ・・・データ収集サーバ、
１０２・・・コントロールパネル、１０３・・・障害情報受信部、
１０４・・・測定データ収集部、１０４Ａ・・・モニタ選択部（監視装置選択部）、
１０５・・・障害位置判定部、１０６・・・障害内容解析部、
１１０・・・記憶部、１１１・・・系統情報、
１１２・・・電源品質モニタの位置情報、１１３・・・測定データ、
２００，２００ａ〜２００ｈ・・・電源品質モニタ（電源品質監視装置）、
２０２・・・受信部、２０３・・・通知部、
２０４・・・データ取得部、２０５・・・電圧電流測定部、
２０６・・・リングバッファ（第１記憶部）、
２０７・・・測定データ記憶部（第２記憶部）、
２０８・・・障害検出部、２０９・・・基準データ、
２１０・・・サンプリング制御部、２１１・・・第１サンプリング部、
２１２・・・第２サンプリング部、２２１，２２１ａ〜２２１ｈ・・・センサ
【図１】
2016153739.tif 000003
【図２】
2016153739.tif 000004
【図３】
2016153739.tif 000005
【図４】
2016153739.tif 000006
【図５】
2016153739.tif 000007
【図６】
2016153739.tif 000008
【図７】
2016153739.tif 000009
【図８】
2016153739.tif 000010
【図９】
2016153739.tif 000011
【図１０】
2016153739.tif 000012
【図１１】
2016153739.tif 000013
【図１２】
2016153739.tif 000014